【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  プリペイド無線通信サービスを管理する方法であって、
無線デバイス識別番号と通信料金データと利用可能クレジット残高とソフトウェアアプリケーションとをメモリデバイスを含む無線デバイスに格納するステップと、
ネットワークされた複数のサーバにおいて、該無線デバイス識別番号を含む加入者データベースを提供するステップと、
該利用可能クレジット残高の増加を要求するために通話するステップと、
該無線デバイスから該無線デバイス識別番号を示すデータを受信するステップと、
該無線デバイス識別番号の有効性のマッチングを行なうステップと、
クレジット／デビットカードおよび／またはスクラッチカードを用いて該利用可能クレジット残高を増加させるステップと、
該利用可能クレジット残高を改変するために、第１のメッセージングサービスメッセージ、好ましくはＳＭＳメッセージを生成し、該第１のメッセージを暗号化するステップと、
該第１のメッセージングサービスメッセージを該無線デバイスに送信するステップと、
該無線デバイスにおいて該第１のメッセージングサービスメッセージを復号化するステップと、
該復号化された第１のメッセージングサービスメッセージを用いて該無線デバイスにおいて該利用可能クレジット残高を増加させるステップと、
確認応答として、第２のメッセージングサービスメッセージ、好ましくはＳＭＳ−ＭＯを該無線デバイスによって返信するステップと、
該無線デバイスにおいて、該無線デバイスによって受信または開始された各通話のコストを該通信料金データを用いて計算するステップと、
該無線デバイスによって受信または開始された各通話のコストを該利用可能クレジット残高から差し引くステップと
を包含する、方法。
【請求項２】  前記利用可能クレジット残高が所定の金額未満である場合に、前記無線デバイスが通話を送信することを防止するステップをさらに包含する、請求項１に記載の方法。
【請求項３】  前記利用可能クレジット残高が国外通話を行うために必要な金額を下回った場合でさえも、前記無線デバイスがあらかじめプログラムされた番号に通話することを許可するステップをさらに包含する、請求項２に記載の方法。
【請求項４】  前記無線デバイス識別番号は、ＭＳＩＳＤＮである、請求項１に記載の方法。
【請求項５】  前記無線デバイスから前記無線デバイス識別番号を示すデータを受信するステップが、通話の当事者の数を解析することにより前記ＭＳＩＳＤＮを決定するステップを包含する、請求項４に記載の方法。
【請求項６】  前記利用可能クレジット残高の増加を要求するために通話するステップは、無線デバイス、固定電話、およびデータネットワークのうちの１つを使用する、請求項１に記載の方法。
【請求項７】  前記利用可能クレジット残高を改変するために、第１のメッセージングサービスメッセージ、好ましくはＳＭＳメッセージを生成し、前記第１のメッセージを暗号化するステップは、該第１のメッセージングサービスメッセージのこの暗号化のためにメッセージシリアル番号を包含するサブステップをさらに包含する、請求項１に記載の方法。
【請求項８】  所定の時間内に確認応答として第２のメッセージングサービスメッセージ（ＳＭＳ−ＭＯ）が受信されなかった場合に、前記第１のメッセージングサービスメセージを前記無線デバイスに再送信するステップをさらに包含する、請求項１に記載の方法。
【請求項９】  代替的な料金表または料金率表を用いて前記無線デバイスのメモリデバイスを更新するために、メッセージングサービスメッセージを使用するステップをさらに包含する、請求項１に記載の方法。
【請求項１０】  前記加入者データベースにおいて、前記無線デバイスの前記メモリデバイスに格納された情報を自動的にミラーリングするステップと、
該加入者データベースを用いて潜在的な詐欺を検出するステップと
をさらに包含する、請求項１に記載の方法。
【請求項１１】  前記無線デバイス識別番号が有効である場合に、前記無線デバイスが既に活性化されているか否かを決定するステップと、
該無線デバイスがまだ活性化されていない場合に、解除によって該無線デバイスを活性化するステップと
をさらに包含する、請求項１に記載の方法。
【請求項１２】  前記無線デバイスが活性化されるべきあらかじめプログラムされた番号に通話することを許可するステップをさらに包含する、請求項１１に記載の方法。
【請求項１３】  前記無線デバイスを使用禁止にする、または、完全に接続を切断するステップをさらに包含する、請求項１に記載の方法。
【請求項１４】  これらの動作が自動的に、または、エージェントによって手動で行なわれる、請求項１３に記載の方法。
【請求項１５】  請求項１〜１４のいずれかに記載の方法を実行するように構成された無線デバイス。
【請求項１６】  請求項８に記載の無線デバイスであって、
送信器手段と、
受信器手段と、
前記無線デバイス識別番号と前記通信料金データと前記利用可能クレジット残高とソフトウェアアプリケーションとを格納するメモリと、
該無線デバイスから行なわれた通話の長さと該メモリに格納された通話料金とに基づいて該メモリに格納された利用可能クレジット残高を改変し、該受信手段によって受信されたＳＭＳメッセージに基づいて該メモリに格納された通話料金を改変するように構成されたコントローラと
を備えた、無線デバイス。
【請求項１７】  無線サービスを管理するシステムであって、
活性化ロジックと１つ以上のアクセス番号とを格納するメモリを有する無線デバイスと、
ユーザが該無線デバイスを用いて該無線サービスの活性化を含む複数のサービスのうちの１つ以上の実行を指定することを可能にする双方向応答手段と、
該無線サービスの活性化を含む該複数のサービスのうちの該１つ以上を実行する実行手段と
を備え、
該無線デバイスは、該１つ以上のアクセス番号を用いて該双方向応答手段との通信を確立し、
該双方向応答手段は、データ運搬用通信サービスを介して該無線デバイスに送信された第１のメッセージを用いることにより、該ユーザによって指定された該複数のサービスのうちの１つを該実行手段に実行させ、該無線デバイスによって受信された該第１のメッセージは、該活性化ロジックを実行する、システム。
【請求項１８】  前記無線デバイスを用いて通信をハンドルし、該無線デバイスの前記ユーザを消費者サービスの代表者に接続する通話配信手段と、
該ユーザによって指定された前記複数のサービスのうちの１つを該消費者サービスの代表者が選択することを可能にし、前記データ運搬用通信サービスを介して該無線デバイスに送信された第２のメッセージを用いることによって、該複数のサービスのうちの該選択された１つを該実行手段に実行させるサービス選択手段と
をさらに備え、
該無線デバイスによって受信された該第２のメッセージは、活性化ロジックが実行されるようにし、
該通話配信手段は、前記複数のアクセス番号の１つを介して該無線デバイスによってアクセスされる、請求項１７に記載のシステム。
【請求項１９】  前記データ運搬用通信サービスは、ショートメッセージサービスである、請求項１７に記載のシステム。
【請求項２０】  前記双方向応答手段は、音声応答を介して、あるいは、固定または無線のデバイスキーパッドを用いた情報のキー入力を介して、実行のために前記ユーザが指定する前記複数のサービスのうちの１つを受信する、請求項１８に記載のシステム。
【手続補正２】
【補正対象書類名】明細書
【補正対象項目名】０００３
【補正方法】変更
【補正の内容】
【０００３】
米国特許第５，７４０，２４７号に、セルラー電話通信補充（ｒｅｆｉｌｌ）システムについての記載がある。このシステムは、所定のパラメータ（例えば、呼び出し回数、払い込み金額（ａｍｏｕｎｔ  ｏｆ  ｆｕｎｄｓ）等）に従って支払いを計測する装置を含む。所定のパラメータは、この装置のセキュアな計測装置内に格納される。